(57)【要約】      （修正有）【課題】グレーティングの回転位置調整に際し、その位置精度が安定し且つ部品点数も少ない機構を備えた光ピイクアップ装置を提供する。【解決手段】グレーティング３が固定された円筒状ホルダ２２の周縁部から一体的に形成され前記レーザー光の光軸方向に弾性変形可能な弾性力を有する板状部２２ｆと、この板状部に形成され装置フレームに当接可能な当接部とを具備する一方、円筒状ホルダ２２を収容する装置フレーム側収容部には、前記光軸方向と直交し且つ前記グレーティング３の光軸方向の位置を規制する基準面２１ｃと、前記当接部と対向配置された平面部２６ａとを具備し、前記当接部が前記平面部２６ａに当接して板状部が弾性変形することにより、ホルダ２２又はグレーティング３を付勢状態で前記基準面に当接させる。【選択図】図５
2006260678.tif 000002
【特許請求の範囲】
【請求項１】
レーザー光源から出射されたレーザー光を回折するグレーティングと、前記グレーティングが固定され両端が開放された円筒状のホルダと、このホルダが回転可能に収容されている装置フレーム側収容部と、前記ホルダを前記装置フレーム側収容部に押圧固定する押圧手段を有してなる光ピックアップ装置において、
前記押圧手段を、前記ホルダに一体形成してなることを特徴とする光ピックアップ装置。
【請求項２】
請求項１において、前記押圧手段は前記レーザ光の光軸方向に弾性変形する弾性変形部を有することを特徴とする光ピックアップ装置。
【請求項３】
請求項１又は２において、前記押圧手段を、前記ホルダの周縁部から径方向に延設された板状部と、この板状部に形成され前記装置フレーム側収容部に当接可能な当接部とで構成する一方、前記装置フレーム側収容部は、前記光軸方向と直交し且つ前記グレーティングの光軸方向の位置を規制する基準面と、前記基準面と対向する平面部とが設けられており、
前記当接部が前記平面部に当接して前記板状部が弾性変形することにより、前記ホルダ又はグレーティングが付勢状態で前記基準面に当接して、グレーティングの光軸方向の位置が規制されていることを特徴とする光ピックアップ装置。
【請求項４】
請求項３において、前記当接部は、前記板状部から前記平面部方向に突出させた突起部であることを特徴とする光ピックアップ装置。
【請求項５】
請求項４において、前記突起部の先端は円弧面状に形成されていることを特徴とする光ピックアップ装置。
【請求項６】
請求項３ないし５において、前記板状部は、前記ホルダの中心に対して点対称に位置する周縁部における位置からそれぞれ外方に向かって左右対称に延びており、前記平面部は、前記装置フレームからその先端面を互いに対向させ第１の空間部をおいて突出形成してなる左右一対の壁部の内壁面より構成され、前記第１の空間部は前記ホルダの円筒状外形部の直径より大きく且つ前記板状部の両側端部間の長さより小さな寸法に設定されているとともに、前記内壁面に対向する位置に、前記装置フレーム側収容部の一部を構成し前記円筒状のホルダの外径とほぼ同一の内径を有する前記ホルダを保持する保持部を設け、前記平面部と前記保持部の前記内壁面に対向する端面との間の第２の空間部を前記第１の空間部に連なるように形成したことを特徴とする光ピックアップ装置。
【請求項７】
請求項６において、前記第１の空間部の大きさは前記レーザ光源の発光素子を収納したケースの外形より大きく形成されていることを特徴とする光ピックアップ装置。
【発明の詳細な説明】
【技術分野】
【０００１】
本発明は、ＣＤ、ＤＶＤ等の記録媒体の再生動作等を行うための光ピックアップ装置に関し、特に、トラッキングエラー信号等の生成のために組み込まれるグレーティングの取り付け部分の改良に関するものである。
【背景技術】
【０００２】
ＣＤ、ＤＶＤ等の記録媒体からの情報再生、情報記録を行うために用いられる光ピックアップ装置の光学系は、一般に、レーザー光源としてのレーザーダイオードと、レーザーダイオードから出射するレーザー光を回折するグレーテイングと、回折光を光記録媒体に集束させる対物レンズと、光記録媒体からの戻り光を対物レンズを介して受光する光検出器を備え、各光学部品相互間の位置調整を行うことができるように、例えば、グレーティングは、装置フレームに対して、レーザー光の光軸方向に移動可能、且つ、光軸回りに回転可能な状態で取り付けられ、光軸方向の位置および回転位置を調整した後に、接着剤等によって装置フレームの側に固定されるようになっている。
【０００３】
このような、グレーティングの位置調整が可能な光ピックアップとして、グレーティングが固定されたホルダと、このホルダが移動可能に収容されている装置フレーム側収容部と、レーザダイオードと、レーザダイオードと前記ホルダとの間に位置し、前記ホルダを前記装置フレーム側収容部に押付け固定しているコイルばねとを有し、前記ホルダと前記コイルばねの間にスペーサが挟み込まれた構造を有するものがある。この構成によれば、グレーティングを保持しているホルダとコイルばねとの間にスペーサを挟み、ホルダとコイルばねが直接に接触しないようにしているため、位相調整がやりやすいという効果を有する。（例えば特許文献１参照）
【特許文献１】特開２０００−２８５４９４号公報
【発明の開示】
【発明が解決しようとする課題】
【０００４】
しかしながら、特許文献１に記載のものにおいては、次のような解決すべき課題がある。
【０００５】
グレーティングの取付位置の調整は、装置フレーム側収容部の開口から、位置決め用スペーサ、グレーティングが取り付けられたホルダ、スペーサ、コイルばね、レーザレーザダイオードをこの順序で差込み、光軸方向の位置を調整した後、収容部に開けた貫通孔から治具を差込み、ホルダを光軸を中心として回転させることにより、回転位置を調整する手順で行なわれるが、前記回転調整後において、コイルばねの弾性復帰力がホルダに対して回転力として作用し、回転調整後の位置からずれてしまう可能性がある。即ちコイルばねとホルダとの間のスペーサでは完全に前記回転力を立つことは困難である。さらにコイルばねのホルダを押す反力でレーザダイオードに常時負荷がかかっており、レーザダイオードも所定の位置からずれてしまう可能性がある。また、スペーサやコイルばねを使用するため部品が多くなりコスト面でも望ましくない。
【０００６】
以上のような点に鑑みて、本発明の課題は、グレーティングの回転位置調整に際し、その位置精度が安定し且つ部品点数も少ない機構を備えた光ピイクアップ装置を提供することにある。
【課題を解決するための手段】
【０００７】
上記課題を解決するために、本発明では、レーザー光源から出射されたレーザー光を回折するグレーティングと、前記グレーティングが固定され両端が開放された円筒状のホルダと、このホルダが回転可能に収容されている装置フレーム側収容部と、前記ホルダを前記装置フレーム側収容部に押圧固定する押圧手段を有してなる光ピックアップ装置において、前記押圧手段を、前記ホルダに一体形成してなることを特徴とする。
【０００８】
また、本発明では、前記押圧手段は前記レーザ光の光軸方向に弾性変形する弾性変形部を有することが好ましい。このように構成すると、従来のようなコイルばねを使用するものに比べ、ホルダと一体の弾性変形部を有する押圧手段を使用するので、回転調整後における回転復帰力が発生することがなく、位置調整の精度が向上する。
【０００９】
さらに、本発明では、前記押圧手段を、前記ホルダの周縁部から径方向に延設された板状部と、この板状部に形成され前記装置フレーム側収容部に当接可能な当接部とで構成する一方、前記装置フレーム側収容部は、前記光軸方向と直交し且つ前記グレーティングの光軸方向の位置を規制する基準面と、前記基準面と対向する平面部とが設けられており、
前記当接部が前記平面部に当接して前記板状部が弾性変形することにより、前記ホルダ又はグレーティングが付勢状態で前記基準面に当接して、グレーティングの光軸方向の位置が規制されていることが好ましい。このような構成にすると、グレーティングの光軸位置及び回転位置の調整精度が向上するとともに、弾性変形する板状部を径方向に延設しているので光軸方向の短縮化が図れる。
【００１０】
さらにまた、本発明では、前記当接部は、前記板状部から前記平面部方向に突出させた突起部であることが好ましい。このような構成にすると、板状部の面を当接させる場合より、ホルダと装置フレーム側収容部の平面部との摺動性がよくなり、作業性が向上する。
【００１１】
また、本発明では、前記突起部の先端は円弧面状に形成されていることが好ましい。このように構成にすると、さらに、線接触での当接となりホルダと装置フレーム側収容部の平面部との摺動性が増し、より作業性が向上する。
【００１２】
さらに、前記板状部は、前記ホルダの中心に対して点対称に位置する周縁部における位置からそれぞれ外方に向かって左右対称に延びており、前記平面部は、前記装置フレームからその先端面を互いに対向させ第１の空間部をおいて突出形成してなる左右一対の壁部の内壁面より構成され、前記第１の空間部は前記ホルダの円筒状外形部の直径より大きく且つ前記板状部の両側端部間の長さより小さな寸法に設定されているとともに、前記内壁面に対向する位置に、前記装置フレーム側収容部の一部を構成し前記円筒状のホルダの外径とほぼ同一の内径を有する前記ホルダを保持する保持部を設け、前記平面部と前記保持部の前記内壁面に対向する端面との間の第２の空間部を前記第１の空間部に連なるように形成することが好ましい。このように構成にすると、ホルダの装置フレーム側収容部への装着が容易となる。即ち、ホルダを装置フレーム側収容部に装着する場合、板状部を前記１対の壁部の離間方向と直交する方向に位置させて第１の空間部から挿入し、ホルダを９０度回転させれば前記内壁面に板状部の当接部が弾性力をもって当接し、装置フレーム側収容部に装着することができる。また、板状部が左右対称に延びた構成にしたため、ホルダの回転調整時にばね圧が変化しないので回転調整がやりやすい。
【００１３】
さらにまた、前記第１の空間部の大きさは前記レーザ光源の発光素子を収納したケースの外形より大きく形成されていることが好ましい。このように構成にすると、前記ケースの挿入スペースを確保でき、レーザー光源の光軸方向における取り付け位置の自由度が増し位置調整がしやすくなる。
【発明の効果】
【００１４】
本発明の光ピックアップ装置では、レーザー光源から出射されたレーザー光を回折するグレーティングと、前記グレーティングが固定され両端が開放された円筒状のホルダと、このホルダが回転可能に収容されている装置フレーム側収容部と、前記ホルダを前記装置フレーム側収容部に押圧固定する押圧手段を有してなる光ピックアップ装置において、
前記押圧手段を、前記ホルダに一体形成している。従って、従来のようなコイルばねやスペーサが不要となり、部品点数が削減できる。また、弾性復帰力（回転力）が発生することがなく、位置調整の精度が向上する。
【発明を実施するための最良の形態】
【００１５】
以下に、図面を参照して、本発明を適用した光ピックアップ装置を説明する。
【００１６】
（光ピックアップ装置の概略構成）
図１は、本発明を適用した光ピックアップ装置の光学系を示す概略構成図を示す。
【００１７】
光ピックアップ装置１の光学系は、レーザーダイオード２およびグレーティング３を備えた光源ユニット４と、この光源ユニット４から出射されるレーザー光を光記録媒体１０からの戻り光と分離するためのビームスプリッタ５と、光源ユニット４からのレーザー光を平行光にするコリメートレンズ６と、コリメートレンズ６からの平行光をＣＤあるいはＤＶＤなどの光記録媒体１０の記録面に集束させる対物レンズ７を備えている。また、光記録媒体１０からの戻り光を、センサレンズ８を介して受光するための光検出器９を備えている。なお、レーザダイオード２は発光素子２ａとこれを収容するケース２ｂとを有している
【００１８】
このような光学系を備えた光ピックアップ装置１は、光源ユニットから出射されたレーザー光が、ビームスプリッタ５で反射した後、コリメートレンズ６で平行光化され、しかる後に、対物レンズ７で集光されて光記録媒体１０の情報記録面に焦点を結ぶ。また、光記録媒体１０で反射した戻り光は、対物レンズ７、コリメートレンズ６、及びビームスプリッタ５を通過して信号検出用の光検出器９の受光面に入射し、この受光面に入射する受光量に基づき、図示しない駆動制御装置により情報再生処理等が行なわれる。
【００１９】
（円筒状ホルダ、装置フレーム等の配置構成）
図２乃至図５は、それぞれ光ピックアップ装置の光源ユニットと円筒状ホルダとの配置構成を斜め上方からみた斜視図、同平面図、光ピックアップ装置を構成する円筒状ホルダ、スペーサ及び装置フレームの一部を示す分解斜視図、円筒状ホルダを装置フレームに装着した状態を示す断面図を示す。
【００２０】
光源ユニット４は、光ピックアップ装置１の装置フレーム２０に形成した円筒状の収容部２１と、この一端開口２１ａから同軸状態でその一端側が差し込まれた円筒状ホルダ２２と、この円筒状ホルダ２２の先端に接着剤２４にて取り付けられたグレーティング３と、装置フレーム２０の前記一端開口２１ａ側に対向するように設けられ光軸方向に開口した第１の空間部としてのスリット部２３に臨ませて配置されたレーザーダイオード２を備えている。即ち、円筒状の収容部２１は円筒状ホルダ２２を保持する保持部となっており、前記ホルダ２２は、レーザ光の光軸Ｌの方向に移動可能であり、且つ光軸Ｌを中心として回転可能な寸法とされている。
【００２１】
ここで、本形態の光源ユニット４においては、円筒状ホルダ２２の先端側を、円筒状の収容部２１の前端開口に形成した環状突起２１ｂにおけるグレーティング３の光軸Ｌ方向の位置を規制する基準面としての環状端面２１ｃに、位置決め用スペーサとしてのワッシャー２５を介して突き当てている。前記基準面としての環状端面２１ｃは光軸Ｌ方向と直交する面となっている。一方、円筒状ホルダ後端側は、装置フレーム２０の第1の空間部としてのスリット部２３を構成し光軸Ｌ方向と直交する左右両側から突出形成された壁部２６の前記一端開口２１ａ側と対峙する平面部２６ａに当接させて前記円筒状ホルダ２２が保持されている。
【００２２】
即ち、前記円筒状ホルダ２２は、後述する弾性力により装置フレーム２０の環状端面２１ｃと壁部２６の平面部２６ａとを押圧付勢した状態で装置フレーム２０に保持されている。一方、前記平面部２６ａは、装置フレームの円筒状収容部２１の一端開口２１ａ側と間隔をおいて対面している。またこの平面部２６ａは、前記ホルダ２２の円筒状外形部の直径よりも大きく且つ後述する円筒状ホルダ２２の板状部２２ｆの両側端部間の長さより小さな距離分離間した状態で、装置フレーム２０から、前記一端開口２１ａの中央方向に向かって突出形成してなる左右一対の壁部の内壁面より構成されている。なお、前記内壁面の縁部２６ｂは斜面状に形成されている。
【００２３】
従って、前記平面部２６ａとその対向する一端開口２１ａの周縁部２１ｄとの間に形成され、円筒状ホルダの後端側が収容される第２の空間部としての溝状収容部２７と、前記円筒状の収容部２１とで、円筒状ホルダを収容する装置フレーム側収容部が構成されている。なお、前記スリット部２３（第１の空間部）と溝状収容部２７（第２の空間部）とは
連通状態となっており、円筒状ホルダ２２を前記各空間部を介して前記円筒状の収容部２１に挿入できるようになっている。
【００２４】
また、ワッシャー２５は例えば合成樹脂材料からなる成形品であり、前記収容部２１の内径寸法とほぼ一致する外径寸法とされ、中心には、レーザー光通過用の円形の光通過孔３１が形成されている。また、当該ワッシャー２５の両面は摩擦係数の小さな滑らかな平坦面とされており、後述するグレーティングの回転調整がスムーズにできるようになっている。
【００２５】
円筒状収容部２１の外周壁２０ａには円形の貫通孔２１ｅが形成されており、当該貫通孔２１ｅに対峙している円筒状ホルダ２２の外周面の部位には光軸Ｌの方向に延びる溝２２ｅが形成されている。
【００２６】
レーザダイオード２は、レーザダイオード基端側を両側からホルダ３０により保持されており、当該ホルダ３０は装置フレーム２０に取り付け可能になっている。  
【００２７】
（円筒状ホルダの具体的構成）
図６（ａ）、（ｂ）、（ｃ）はそれぞれ、円筒状ホルダを斜め上方からみた斜視図、円筒状ホルダを下方からみた斜視図、グレーティングを装着した状態の斜視図を示す。
【００２８】
円筒状ホルダ２２の先端に接着剤等で取り付けたグレーティング３の外周には、当該ホルダ２２の先端環状端面２２ａから、その端面形状が弓形及び扇形をした複数の位置決め用突起板２２ｂ並びに円柱形をした位置決め用突起２２ｃが前方に突き出ている。位置決め用突起板２２ｂは主に円筒状ホルダ２２の光軸方向の位置決めとして用いられ、位置決め用突起２２ｃは主にグレーティング３の円筒状ホルダ２２における位置決めとして用いられる。
【００２９】
前記ホルダ２２の一部には、当該ホルダの後端側周縁部から一体的に形成され前記レーザー光の光軸方向Ｌに弾性変形可能な弾性力を有する弾性変形部としての板状部２２ｆと、この板状部に一体形成され前記装置フレーム２０に当接可能な当接部としての円弧面を有する突起部２２ｇを備えている。前記板状部２２ｆは、前記ホルダ２２の中心に対して点対称に位置する周縁部における位置からそれぞれ径方向外側に向かって左右対称に延びており、前記突起部２２ｇは、前記ホルダ２２の装置フレーム２０への組み付け時において壁部２６の平面部２６ａと対峙する向きに突出形成されている。
【００３０】
さらに、円筒状ホルダ２２の最先端部即ち位置決め用突起板２２ｂの先端から最後端部即ち突起部２２ｇの先端円弧面までの寸法は、装置フレーム２０の円筒状の収容部２１に装着した際に、前記板状部２２ｆが、前記収容部２１の前端開口に形成した環状突起２１ｂの環状端面２１ｃと壁部２６の平面部２６ａとで光軸方向Ｌに弾性力を生じる程度に設定されている。
【００３１】
（グレーティングの組み付け調整手順）
このように構成した本形態の光ピックアップ装置１において、その光源ユニット４のグレーティング３の組み付け位置の調整手順を説明する。円筒状収容部２１の一端開口２１ａから、ワッシャー２５、グレーティング３が取り付けられた円筒状ホルダ２２をこの順序で差し込み、グレーティング３の光軸Ｌの方向の位置を調整する。この調整は、位置決め用スペーサとしてのワッシャー２５を所定の厚さのものに交換する等の作業によって行うことができる。なお、ワッシャー２５を差し込んだ後、円筒状ホルダ２２を差し込むに当たっては、板状部２２ｆを１対の壁部２６の離間方向と直交する方向に位置させてスリット部２３から挿入し、ホルダを９０度回転させることにより装置フレーム側収容部の前記平面部２６ａに板状部２２ｆの突起部２２ｇが弾性力をもって当接し、前記装置フレーム側収容部に装着することができる。すなわち、当接部としての突起部２２ｇが前記平面部２６ａに当接して前記板状部２２ｆが弾性変形することにより、前記ホルダ２２又はグレーティング３が付勢状態で前記基準面としての環状端面２１ｃに当接して、グレーティングの光軸方向の位置が規制されている。また、壁部２６を構成する内壁面の縁部２６ｂが斜面状に形成されており、前記円筒状ホルダ２２の板状部２２ｆを溝状収容部２７にスムーズに回転挿入させることができる。
【００３２】
次に、円筒状収容部２１の外周壁２０ａに開けた貫通孔２１ｅから偏心ピン等の治具を差し込み、内側の円筒状ホルダ２２を光軸Ｌを中心として回転させることにより、当該ホルダ２２に取り付けられているグレーティング３の回転位置、すなわち位相を調整する。
【００３３】
ここで、円筒状ホルダ２２は、その後端側周縁部から延設され前記レーザー光の光軸方向Ｌに弾性変形可能な弾性力を有する板状部２２ｆと、この板状部に形成され前記装置フレーム２０に当接可能な当接部としての円弧面状の突起部２２ｇを備えており、前記板状部２２ｆと突起部２２ｇで、装置フレーム２０に設けられた壁部２６の平面部２６ａに線接触で押圧付勢するため、グレーティングの回転調整時において、回転操作が円滑に行なえる一方、回転調整後において、コイルばねのような弾性（回転）復帰力が発生し、ホルダが回転するといった事態を招来することもなく位置調整の精度が向上する。またホルダ自体に弾性力を有する板状部を設けているため、従来のようなコイルばねやスペーサも不要となる。
【００３４】
なお、上記のように、グレーティング３の光軸Ｌに沿った方向の位置、および光軸Ｌを中心とした回転方向の位置が調整された後は、各部品が接着剤等によって固定され、これにより、光源ユニット４の組み付け作業が終了する。
【００３５】
（本形態の主な効果）
以上説明したように、本形態の光ピックアップ装置では、グレーティングを保持するホルダ自体に弾性力をもたせたため、従来のようなホルダを押圧付勢するコイルばねやスペーサが不要となり、部品点数を削減できる。
【００３６】
また、本形態では、押圧付勢するばねはホルダに一体形成した板状部としているため、回転調整後に弾性復帰することがなく安定した精度の高い調整が可能となる。
【００３７】
さらに、弾性力を有する板状部は、ホルダの中心に対して点対称に位置する周縁部における位置からそれぞれ径方向外側に向かって左右対称に延びているため、押圧付勢力が均等に分散され光軸が傾くこともない。またスリット部からの挿入が容易となり、スリット部の間隔もほぼホルダの円筒部分の直径寸法でよく、板状部に設けた突起部の平面部との当接領域（面積）を十分に確保できる。しかも、平面部は、装置フレームの円筒状収容部の一端開口側と間隔をおいて対向して形成されているため、レーザー光源の光軸方向先端部（光ビーム出射側）と、ホルダの板状部との間にスペースができレーザー光源の光軸方向における取り付け位置の自由度が増し、光軸方向の位置調整がしやすくなる。特に、板状部の突起部をレーザ光源側に突出させた場合には、よりその自由度は高まる。
【００３８】
さらにまた、従来のようにホルダと同じ収容部に圧入され、コイルばねのホルダを押圧付勢する反力でレーザダイオードに負荷がかかる構成ではないため、ホルダの回転位置調整時や調整後に、レーザダイオード自体が前記反力や弾性復帰力によりその回転位置が変化するといった問題も生じない。
【００３９】
（その他の実施の形態）
上記形態では、ホルダ２２の形状が溝２２ｅをのぞき円筒形状に構成したが、例えば、光軸Ｌを中心として所定の角度範囲だけ回転させることが可能な形状のものであってもよい。
【００４０】
また、上記形態では、板状部２２ｆに球面状の突起部２２ｇを一体に設けたが、例えば摺動性に優れた材料で別個に製作しこれを板状部に後付けしてもよい。突起部先端の形状も、円弧状でなく球面であってもよい。
【００４１】
さらに、上記形態では光軸方向に弾性変形する板状部２２ｆをホルダ２２の径方向外方に延設したが、レーザ光の入射する開口を確保できれば、ホルダの周縁部から内側方向に突出形成してもよい。
【００４２】
さらにまた、上記形態では、突起部２２ｇを装置フレーム２０に設けた平面部に当接させたが、レーザダイオード２のホルダ３０の装置フレーム対向面に当接させてもよい。
【００４３】
また、上記形態では、突起部２２ｇをレーザ光源側に突出させて平面部に当接させたが、前記方向とは逆の一端開口２１ａの周縁部２１ｄに当接させることも可能である。
【図面の簡単な説明】
【００４４】
【図１】本発明を適用した光ピックアップ装置の光学系を示す概略構成図である。
【図２】本発明を適用した光ピックアップ装置の光源ユニットと円筒状ホルダとの配置構成を斜め上方からみた斜視図である。
【図３】本発明を適用した光ピックアップ装置の光源ユニットと円筒状ホルダとの配置構成を示す平面図である。
【図４】本発明を適用した光ピックアップ装置を構成する円筒状ホルダ、スペーサ及び装置フレームの一部を示す分解斜視図である。
【図５】円筒状ホルダを装置フレームに装着した状態を示す断面図である。
【図６】（ａ）、（ｂ）、（ｃ）は、円筒状ホルダを斜め上方からみた斜視図、円筒状ホルダを下方からみた斜視図、グレーティングを装着した状態の斜視図である。
【符号の説明】
【００４５】
１  光ピックアップ装置
２  レーザダイオード
３  グレーティング
４  光源ユニット
２０  装置フレーム
２１  保持部
２１ａ  一端開口
２１ｂ  環状突起
２１ｃ  環状端面
２１ｄ  周縁部
２１ｅ  貫通孔
２２  円筒状ホルダ
２２ａ  先端環状端面
２２ｂ  位置決め用突起板
２２ｃ  位置決め用突起
２２ｅ  溝
２３  スリット部（第１の空間部）
２４  接着剤
２５  ワッシャー
２６  壁部
２６ａ  平面部
２７  溝状収容部（第２の空間部）
【図１】
2006260678.tif 000003
【図２】
2006260678.tif 000004
【図３】
2006260678.tif 000005
【図４】
2006260678.tif 000006
【図５】
2006260678.tif 000007
【図６】
2006260678.tif 000008